(57)【要約】【課題】支柱を容易に立設でき、また横棒部材を簡易な方法で支柱間に差し渡して保持できるようにして、支持具の設置が容易となるジョイント部材およびこのジョイント部材を利用した農園芸用支柱を提供すること。【解決手段】ジョイント部材は、下方に開口して棒状体の上端部を嵌入可能な嵌入孔を備えたジョイント片を二つ組み合わせてなり、該二つのジョイント片は互いに回動可能に接続される接続部を介して接続され、前記二つのジョイント片の上端には、それぞれ横棒部材を載置して保持することが可能な保持部を備えるようにした。【選択図】図１
2011142871.tif 000002
【特許請求の範囲】
【請求項１】
下方に開口して棒状体の上端部を嵌入可能な嵌入孔を備えたジョイント片を二つ組み合わせてなり、該二つのジョイント片は互いに回動可能に接続される接続部を介して接続され、前記二つのジョイント片の上端には、それぞれ横棒部材を載置して保持することが可能な保持部を備えたことを特徴とするジョイント部材。
【請求項２】
接続部には、二つのジョイント片を所定角度に開いた状態で保持可能なストッパー部が形成されていることを特徴とする請求項１記載のジョイント部材。
【請求項３】
下方に開口し、棒状体を嵌入可能な嵌入孔を備えたジョイント片を二つ組み合わせてなり、該二つのジョイント片は互いに回動可能に接続される接続部を介して接続され、前記二つのジョイント片の上端には、それぞれ横棒部材を載置して保持することが可能な保持部を備えたジョイント部材と、
前記各ジョイント片の嵌入孔にその上端を嵌入した棒状体とを備えたことを特徴とする農園芸用支柱。
【請求項４】
接続部には、二つのジョイント片を所定角度に開いた状態で保持可能なストッパー部が形成されていることを特徴とする請求項３記載の農園芸用支柱。
【発明の詳細な説明】
【技術分野】
【０００１】
本発明は、農園芸用支柱に用いることのできるジョイント部材およびこのジョイント部材を利用した農園芸用支柱に関するものである。
【背景技術】
【０００２】
従来から、インゲンマメやエンドウマメなどの豆類や、キュウリ、ニガウリなどの蔓性植物を栽培する際に、当該植物が地表から上方へ成長するのを支持するための支持具が用いられている。
【０００３】
このような支持具としては、例えば下記特許文献１および２に開示されているように、２本の支柱を上端部近傍で交差するようにして配置するとともに当該交差部分を連結具を用いて連結した一対の支柱として立設するようにしたものがある。これは、この一対の支柱を複数適宜間隔を空けて立設し、前記交差部分に横棒部材を載置するようにして当該複数の支柱間に横棒部材を差し渡し、これによって上述の植物の支持具として用いるものである。このようにすれば、支持具が転倒しにくくなり、また長い畝に沿って連続して支持具を設置することが可能となる。
【先行技術文献】
【特許文献】
【０００４】
【特許文献１】登録実用新案公報第３０６０１５０号公報
【特許文献２】特開２００４−３３０７５号公報
【発明の概要】
【発明が解決しようとする課題】
【０００５】
しかしながら、上記従来の支持具においては、上記２本の支柱を交差させて当該交差部分を連結するのに、紐や金属製の線材、プラスチック成型品等で形成した連結具を用い、当該支柱を設置する作業の際に一つ一つ支柱同士を連結し、また交差する２本の支柱のなす角度を手で調節しながら地面に立設する必要があった。それゆえ、支柱の設置作業は非常に面倒であり、多くの時間を要するものとなっていた。
【０００６】
また、この従来の支持具は、上述のとおり、一対の支柱を複数適宜間隔を空けて立設し、前記交差部分に横棒部材を載置するようにして当該複数の支柱間に横棒部材を差し渡して用いるものであるが、これを長い畝に沿って連続して設置する場合、一つの上記交差部分上に隣接する２本の横棒部材が載置されることとなる。そうすると、横棒部材の載置状態が安定しないので、２つの横棒部材を紐などで括り、さらにその横棒部材を同じく紐などで支柱に括り付けるなどする必要が生じ、支持具の設置作業が煩雑となっていた。
【０００７】
本発明は、上記のような問題点を克服するためになされたものであって、支柱を容易に立設でき、また横棒部材を簡易な方法で支柱間に差し渡して保持できるようにして、支持具の設置が容易となるジョイント部材およびこのジョイント部材を利用した農園芸用支柱を提供することを目的とする。
【課題を解決するための手段】
【０００８】
上記の課題を解決するため、本発明に係るジョイント部材は、下方に開口して棒状体の上端部を嵌入可能な嵌入孔を備えたジョイント片を二つ組み合わせてなり、該二つのジョイント片は互いに回動可能に接続される接続部を介して接続され、前記二つのジョイント片の上端には、それぞれ横棒部材を載置して保持することが可能な保持部を備えたことを特徴とする。
【０００９】
本発明に係るジョイント部材によれば、予め２本の棒状体をジョイント部材の嵌入孔に嵌入して農園芸用支柱を形成しておき、当該支柱を設置する現場においては、回動可能な接続部を動作させて２本の棒状体が所定の角度をなすように立設すればよく、支柱の設置が非常に容易となる。
【００１０】
さらに、本発明に係るジョイント部材の各ジョイント片の上端には、横棒部材を載置して保持することが可能な保持部が備えられているため、支柱を立設した後に、横棒部材を保持部に載置して保持させるだけで、横棒部材を支柱間に差し渡して設置することができ、これにより容易に支持具の設置を完了することができる。
【００１１】
また、本発明に係るジョイント部材において、接続部には、二つのジョイント片を所定角度に開いた状態で保持可能なストッパー部が形成されているようにしてもよい。
【００１２】
このようにすれば、このジョイント部材を利用した支柱を地面に立設する際に、２本の棒状体のなす角度を微妙に調節することなく、簡単に立設することができ、かつ多数の支柱を立設したときに、それぞれの支柱の開き角度が統一された状態となる。
【００１３】
また、本発明に係る農園芸用支柱は、下方に開口し、棒状体を嵌入可能な嵌入孔を備えたジョイント片を二つ組み合わせてなり、該二つのジョイント片は互いに回動可能に接続される接続部を介して接続され、前記二つのジョイント片の上端には、それぞれ横棒部材を載置して保持することが可能な保持部を備えたジョイント部材と、前記各ジョイント片の嵌入孔にその上端を嵌入した棒状体とを備えたことを特徴とするものである。
【００１４】
本発明に係る農園芸用支柱によれば、予め２本の棒状体をジョイント部材の嵌入孔に嵌入して支柱を形成しておき、当該支柱を設置する現場においては、回動可能な接続部を動作させて２本の棒状体が所定の角度をなすように立設すればよく、支柱の設置が非常に容易となる。
【００１５】
さらに、本発明に係る農園芸用支柱におけるジョイント部材の各ジョイント片の上端には、横棒部材を載置して保持することが可能な保持部が備えられているため、支柱を立設した後に、横棒部材を保持部に載置して保持させるだけで、横棒部材を支柱間に差し渡して設置することができ、これにより容易に支持具の設置を完了することができる。
【００１６】
また、本発明に係る農園芸用支柱において、接続部には、二つのジョイント片を所定角度に開いた状態で保持可能なストッパー部が形成されているようにしてもよい。
【００１７】
このようにすれば、支柱を地面に立設する際に、２本の棒状体のなす角度を微妙に調節することなく簡単に立設することができ、かつ多数の支柱を立設したときに、それぞれの支柱の開き角度が統一された状態となる。
【発明の効果】
【００１８】
以上のとおり、本発明に係るジョイント部材によれば、予め２本の棒状体をジョイント部材の嵌入孔に嵌入して農園芸用支柱を形成しておき、当該支柱を設置する現場においては、回動可能な接続部を動作させて２本の棒状体が所定の角度をなすように立設すればよく、支柱の設置が非常に容易となる。さらに、本発明に係るジョイント部材の各ジョイント片の上端には、横棒部材を載置して保持することが可能な保持部が備えられているため、支柱を立設した後に、横棒部材を保持部に載置して保持させるだけで、横棒部材を支柱間に差し渡して設置することができ、これにより容易に支持具の設置を完了することができる。
【００１９】
また、本発明に係る農園芸用支柱によれば、予め２本の棒状体をジョイント部材の嵌入孔に嵌入して支柱を形成しておき、当該支柱を設置する現場においては、回動可能な接続部を動作させて２本の棒状体が所定の角度をなすように立設すればよく、支柱の設置が非常に容易となる。さらに、本発明に係る農園芸用支柱におけるジョイント部材の各ジョイント片の上端には、横棒部材を載置して保持することが可能な保持部が備えられているため、支柱を立設した後に、横棒部材を保持部に載置して保持させるだけで、横棒部材を支柱間に差し渡して設置することができ、これにより容易に支持具の設置を完了することが可能となる。
【図面の簡単な説明】
【００２０】
【図１】本発明に係るジョイント部材、およびこのジョイント部材を利用した農園芸用支柱の一実施形態を示すものであり、その使用状態図である。
【図２】図１においてＰで示された部分の拡大図である。
【図３】本発明に係る農園芸用支柱のジョイント部分（ジョイント部材を閉じた状態）の一実施形態を示す斜視図である。
【図４】本発明に係る農園芸用支柱のジョイント部分（ジョイント部材を閉じた状態）の一実施形態を示す正面図である。
【図５】本発明に係る農園芸用支柱のジョイント部分（ジョイント部材を開いた状態）の一実施形態を示す正面図である。
【図６】本発明に係るジョイント部材におけるジョイント片の一実施形態を示す正面図である。
【図７】本発明に係るジョイント部材におけるジョイント片の一実施形態を示す背面図である。
【図８】本発明に係るジョイント部材におけるジョイント片の一実施形態を示す右側面図である。
【図９】本発明に係るジョイント部材におけるジョイント片の一実施形態を示す平面図である。
【図１０】図７に示すジョイント片の矢印Ｑ方向から見た嵌入孔の入口近辺の形状を示す図である。
【図１１】図８に示すジョイント片のＸ−Ｘ線における断面図である。
【図１２】図１１の断面図において、キャップ部の嵌入孔に棒状体を嵌入した状態を示す図である。
【図１３】図６に示すジョイント片のＹ−Ｙ線における断面図である。
【図１４】図７に示すジョイント片のＺ−Ｚ線における断面図である。
【図１５】２つのジョイント片を接続する様子を示す説明図（正面図）である。
【図１６】２つのジョイント片を接続する動作を示す説明図（平面図）である。
【図１７】図５のＷ−Ｗ線における断面図である。
【図１８】本発明に係る農園芸用支柱における棒状体の一実施形態を示す（ａ）正面図、および（ｂ）底面図である。
【発明を実施するための形態】
【００２１】
以下、本発明を実施するための形態を、図面に基づいて詳細に説明する。
図１は、本発明に係るジョイント部材、及びこのジョイント部材を利用した農園芸用支柱の一実施形態を示す使用状態図である。
【００２２】
図１に示されるように、この実施形態における農園芸用支柱１は、複数の農園芸用支柱１を適宜間隔を空けて畝Ｇに立設し、これら農園芸用支柱１の上端間に横棒部材７を差し渡して支柱枠体を形成するようにしている。さらに、この支柱枠体にネットＮを掛けて植物支持具Ｆを形成し、畝Ｇに植えた植物ＳがこのネットＮを這うように生長するようになされている。すなわち、植物Ｓの蔓などがネットＮや支柱１に巻き付くことにより植物Ｓが支持され、これにより植物ＳがネットＮに沿って這うように上方へ生長するのを助けるものである。
【００２３】
農園芸用支柱１は、２本の棒状体２とジョイント部材３とからなる。２本の棒状体２は、ジョイント３を介して接続され、かつ接続された２本の棒状体２が所定の角度をなすように開いて畝Ｇに立設することができるものとされている。
【００２４】
図２は、図１においてＰで示される部分を拡大した図である。また、図３は、図１及び図２に示す実施形態の農園芸用支柱ジョイント部材３において、横棒部材７を取り外し、棒状体２、２を閉じた状態を示す図である。
【００２５】
ジョイント部材３は、図６〜図１０に示すジョイント片４を二つ組み合わせて形成されるものであり、それぞれに、棒状体２の上端を嵌入することが可能な嵌入孔４１１を有するキャップ部４１と、横棒部材７を保持するための保持部４２と、二つのジョイント片４を互いに回動可能に接続するための接続部４３とを備えている。これによって、図４及び図５に示すように、接続部４３の回動軸４３５を中心として回動させることにより、農園芸用支柱１の開閉を行うことができるようになっている（図４が「閉」の状態であり、図５が「開」の状態である）。
【００２６】
棒状体２は、図１８に示すように、棒状体２は鋼管の表面を合成樹脂材料で被覆して形成した円筒形状の棒状部材２１からなり、その上端部近傍に、その周面を周回する環状の突条２２が形成されている。また、棒状体２の周面には、上下方向に間隔を置いて多数の突起２３が形成されている。この突起２３が形成されていることで、植物の蔓がしっかり巻き付いて滑り落ちないし、棒状体２にネットＮをクリップ等（図示せず）で固定する際に、クリップが滑り落ちない。尚、上下方向に間隔を置いて形成されるこの突起の列は、図１８に示すように、９０度の間隔で４列形成されている。さらに、棒状体２の下端部は、地中への埋め込みが容易なように、先細りのテーパー形状（円すい形状）となされている。
【００２７】
尚、上記鋼管に替えて、アルミニウム合金やステンレス鋼等の他の金属、あるいは、ポリプロピレン、ポリスチレン、ポリ塩化ビニル、ポリ塩化ビニリデン、ポリカーボネート、ポリエチレンテレフタレート、ポリブチレンテレフタレート、ポリエチレンナフタレート、ポリアミド、ポリウレタン、ポリアクリロニトリル、ＡＢＳ、ＡＡＳ、フェノール樹脂、不飽和ポリエステル樹脂、エポキシ樹脂、ＦＲＰ等の合成樹脂からなる管状体を用いてもよい。また、上記鋼管の表面を被覆する合成樹脂材料としては、ポリエチレン、ポリプロピレン、ポリブテン等のα−オレフィンの重合体を用いてもよく、エチレンにα−オレフィンを共重合させたもの、或いはエチレンに、酢酸ビニル、メタクリル酸又はそのエステル、アクリル酸又はそのエステル等と共重合させたものでもよく、更にはポリエチレンテレフタレート、ポリブチレンテレフタレート、ＡＢＳ樹脂、ＡＡＳ樹脂、ウレタン樹脂、ポリアミド樹脂、フェノール樹脂等の合成樹脂を用いることができ、或いはこれらの樹脂を適宜組み合わせて用いるようにしてもよい。
【００２８】
ジョイント部材３は、上述のとおり、二つのジョイント片４を組み合わせてなるものである。この二つのジョイント片４は、同一形状のものであり、図６〜図１０に示すように、棒状体２の上端を嵌入することが可能な嵌入孔４１１を有するキャップ部４１と、横棒部材７を保持するための保持部４２と、二つのジョイント片４を互いに回動可能に接続するための接続部４３とを備えている。ジョイント片４は、合成樹脂材料により一体的に形成されたものであり、当該材料としては、ＡＡＳ樹脂、ＡＥＳ樹脂、ポリカーボネート、ウレタン樹脂、ポリエステル、ポリアミド等を単独で用いてもよく、或いはこれらを適宜組み合わせて用いるようにしてもよい。キャップ部４１は、図１０〜図１２に示されるように、下方に開口する略円柱状の嵌入孔４１１を有し、この嵌入孔４１１に棒状体２の上端部が嵌入される。
【００２９】
尚、この嵌入孔４１１の内壁面には、棒状体２を嵌入したときに棒状体２の環状の突条２２を係止するための係止手段４５として、環状の突条２２を嵌めこむことのできる抜け止め穴４５１が周方向に形成されている（図１０〜図１２参照）。この実施形態においては、４箇所の接続柱４１３部分を除き、抜け止め穴４５１は、キャップ部４１の嵌入孔４１１の内壁から、外周面まで貫通した貫通穴となされている。
【００３０】
また、同じく嵌入孔４１１の内壁面には、棒状体２を嵌入したときに棒状体２の環状の突条２２を係止するための係止手段４５として、多数の抜け止め突起４５２が形成されている。抜け止め突起４５２は、嵌入孔４１１の内壁面からその径方向（内側方向）へ伸びるように突設され、かつ下方から上方へ向かうにつれてその高さが高くなるように形成されており、その上端面４５２ａは平坦となされ、抜け止め穴４５１につながる。これによって、抜け止め突起４５２の側断面形状は嵌入孔４１１の内壁面から三角形状に突き出た形状となされている。そして、この抜け止め突起４５２の最も高い点を結んで描く円の径が嵌入孔４１１の内径の最小値となる。
【００３１】
上記抜け止め突起４５２の「高さ」とは、キャップ部４１の嵌入孔４１１の内周面から径方向への長さ寸法を指しており、当該高さが最大となる抜け止め突起４５２の上端部分において、嵌入孔４１１の内径が最小となっている。この実施形態において示されるように、支柱部材２の環状の突条２２部分における支柱部材２の最大外径は、キャップ部４１の嵌入孔４１１の最小内径よりも大きくなるようになされ、かつキャップ部４１の嵌入孔内に圧入可能なものとなされているのが好ましい。
【００３２】
すなわち、この嵌入孔４１１の最小内径は、棒状体２の突条２２部分における最大外径よりも小さい寸法となされている。また、ジョイント片４は合成樹脂材料で形成されており、棒状体２をキャップ部４１の嵌入孔４１１に圧入すると、抜け止め突起４５２は、棒状体２の環状突条２２に押されて嵌入孔の径方向（外側方向）へ弾性的に後退する。そして、棒状体２を圧入し終えて環状の突条２２が抜け止め穴４５１に嵌めこまれると、抜け止め突起４５２は、元の状態に戻ろうとして棒状体２の側周面を押圧し、これによりキャップ部４１が棒状体２の上端部に安定的に取り付けられる。図１２に示すように、キャップ部４１を棒状体２の上端部に嵌着した状態においては、棒状体２の環状の突条２２が、キャップ部４１の抜け止め穴４５１に嵌め込まれるとともに、環状の突条２２の下部が抜け止め突起４５２の上端に載置されて係止されるようになされており、これによってキャップ部４１が棒状体２の上端部に安定的に取り付けられるようになっている。
【００３３】
また、この実施形態においては、キャップ部４１の接続柱４１３部分の嵌入孔４１１内側面に、図１０、図１１及び図１３に示す通り、上下方向に延びる凹溝４１６が形成されている。この凹溝４１６は、当該凹溝４１６に棒状体２の長さ方向に４列形成された多数の突起２３を挿入可能となっており、かつ突起２３の先端部が凹溝４１６の底部に接触する寸法とされている。すなわち、凹溝４１６の底部を通る嵌入孔４１１の内径寸法と、突起２３の先端部を通る棒状体２の外径は略同一の寸法となされており、これによって、キャップ部４１を棒状体２の上端部に取り付けた際の取り付け状態が安定する。
【００３４】
尚、このキャップ部４１の構成や、ジョイント片４の棒状体２への取り付け方法については、上記の形態に限られない。例えば、従来から用いられている高周波溶着や、超音波溶着、或いは回転溶着などの方法により溶着するようにしてもよいし、また接着剤を用いて接着するようにしてもよい。
【００３５】
さらに、このキャップ部４１の下端部近傍には、ネットＮを掛けて係止するための掛部４１７がキャップ部４１と一体的に形成されている。この掛部４１７は、先端が上方へ延びるＬ字型形状の突起であり、かつその先端部には、キャップ部４１の外周面方向へ突出する突部４１７ａが形成されている。この掛部４１７にネットＮの線材を引っ掛けることにより、支柱１に容易にネットＮを掛けることが可能となる。
【００３６】
接続部４３は、図６〜図９に示すように、キャップ部４１の上端部近傍に一体的に形成され、それぞれ板状に突出する第一接続片４３１と、第二接続片４３２とからなる。第一接続片４３１には、第二接続片４３２と対向する面と反対側の面に、接続片から垂直方向に突出する円筒形状の接続軸４３１ａが形成されている。また、第二接続片４３２には、第一接続片４３１の接続軸４３１ａを嵌挿可能な円柱形状の接続軸穴４３２ａが形成されている。
【００３７】
このような接続部４３を備えたジョイント片４を二つ、それぞれの接続部４３が互いに対向するようにし、図１５及び図１６に示すような手順で接続する。すなわち、図１５のように、二つのジョイント片４を近接させ接続するのであるが、より詳しくは、図１６に示すように、先ずは矢印Ｈに示す方向に二つのジョイント片４を接近させ、さらに矢印Ｉの方向へ二つのジョイント片４を近づけて一方のジョイント片４の接続軸４３１ａが他方のジョイント片４の接続軸穴４３２ａに嵌挿されるようにする。
【００３８】
尚、第一接続片４３１の先端部には、図９及び図１４等に示されるような平面視三角形状の嵌入片４３１ｂが一体的に形成され、一方、第二接続片４３２の基端部近傍には、接続される他のジョイント片４の嵌入片４３１ａを嵌入可能な嵌入溝４３２ｂが一体的に形成されている。これにより、二つのジョイント片４を接続した際に、一方のジョイント片４の嵌入片４３１ｂが、他方のジョイント片４の嵌入溝４３２ｂに嵌入された状態となる（図１７の断面図参照）。
【００３９】
また、接続軸４３１ａは、図９に示すように、その一部が切り欠かれて切欠面４３１ｃが形成されている。これにより、図１５に示すように二つのジョイント片４を接続する際、矢印Ｈの方向に二つのジョイント片４を近接させ、一方のジョイント片４の嵌入片４３１ｂが他方のジョイント片４の嵌入溝４３２ｂに嵌入できるようになされている。
【００４０】
さらに、矢印Ｈの方向に二つのジョイント片４を近接させ、一方のジョイント片４の嵌入片４３１ｂが他方のジョイント片４の嵌入溝４３２ｂに嵌入した状態で、更に矢印Ｉの方向に二つのジョイント片４を近接させ、一方のジョイント片４の接続軸４３１ａを他方のジョイント片４の接続軸穴４３２ａに圧入すると、一方のジョイント片４の嵌入片４３１ｂが他方のジョイント片４の嵌入溝４３２ｂの側壁４３２ｋに当接、係合する。また同時に、一方のジョイント片４の接続軸４３１ａの外周面における、第一接続片４３１の最も基端部側の側片部４３１ｄが、他方のジョイント片４の接続軸穴４３２ａの内周壁面に当接する（図１７の断面図参照）ので、一旦接続された二つのジョイント片４の接続は容易には解除されず、このように二つのジョイント片４は接続され、その回動軸４３５を中心として互いに回動自在となされている。
【００４１】
また、ジョイント片４には、ストッパー部４７が形成されている。この実施形態におけるストッパー部４７は、ジョイント片４に一体的に板状に形成されている。このストッパー部４は、ジョイント部材３を所定角度に開くと（図５）、それぞれのストッパー部４の当接面４７１が互いに当接することによって、それ以上ジョイント部材３が開かないようになされている。
【００４２】
さらに、ジョイント片４は、それぞれその上端に保持部４２を備えている。図１に示すとおり、この保持部４２は、横棒部材７を保持させることにより、複数の農園芸用支柱１の上端間に横棒部材７を差し渡すように保持できるようにするものである。
【００４３】
この実施形態における保持部４２は、互いに対向して円弧状に延びる保持片４２１からなる。すなわち、両保持片４２１は、円弧状を描き、上方に向かうにつれ一旦は互いに遠ざかる方向へ延び、凡そ中間部あたりからは逆に互いに近づく方向へ延びていて、これにより図６に示す正面視で輪の上端の一部を切り欠いたような形状となされ、両保持片４２１の間に円形の空間部４２５を形成するようになされている。
【００４４】
この保持部４２に対し、その上方から横棒部材７を下ろし、空間部４２５に位置するようにするのであるが、この実施形態においては、対向する２つの保持片４２１の先端に、その先端に向かうにつれ互いの距離が遠ざかる傾斜面４２２ａを備えた受け部４２２が形成されている（図６参照）。これにより、横棒部材７を両受け部４２２の上に載せることができ、それゆえ横棒部材７が保持部４２の空間部４２５に誘導され易く、容易に横棒部材７を取り付ける作業が出来る。
【００４５】
また、両保持片４２１の先端部同士の距離は、最も接近しているところでは、横棒部材７の外径よりも小さくなっている。これのような構成をとることで、横棒部材７を上方から空間部４２５に向けて圧入すると、横棒部材７に押されて両保持片４２１の先端部は互いに遠ざかる方向へ弾性的に動き、横棒部材７を空間部４２５に圧入し終えると、両保持片４２１は元の状態に戻ろうとして横棒部材７の周面を弾性的に押圧するようになされており、これによって横棒部材７は、保持部４２に安定的に保持されるようになる。
【００４６】
さらに、この実施形態においては、保持片４２１の内側周面には、当該周面から空間部４２５の内側方向へ突出する複数の突起部４２３、４２４が形成されている（図７参照）。このようにすることで、横棒部材は、保持片４２１の内側周面全体ではなく、突起部のみにおいて接し押圧されるため、より安定的に保持部４２に保持されるようになる。
【００４７】
また、このように二つのジョイント片４のそれぞれに保持部４２を備えることによって、畑などで長い畝を形成する際、図１のＰにおいて示されるように、隣接する複数の横棒部材７を紐などで括り付ける必要がないので、農園芸用支柱１及び横棒部材７の設置が容易となる。
尚、この保持部４２は上記のような形態に限られず、横棒部材７の断面形状に応じて様々な形状の保持部を適用することが可能である。
【符号の説明】
【００４８】
１    農園芸用支柱
２    棒状体
３    ジョイント部材
４    ジョイント片
４１  キャップ部
４２  保持部
４３  接続部
【図１】
2011142871.tif 000003
【図２】
2011142871.tif 000004
【図３】
2011142871.tif 000005
【図４】
2011142871.tif 000006
【図５】
2011142871.tif 000007
【図６】
2011142871.tif 000008
【図７】
2011142871.tif 000009
【図８】
2011142871.tif 000010
【図９】
2011142871.tif 000011
【図１０】
2011142871.tif 000012
【図１１】
2011142871.tif 000013
【図１２】
2011142871.tif 000014
【図１３】
2011142871.tif 000015
【図１４】
2011142871.tif 000016
【図１５】
2011142871.tif 000017
【図１６】
2011142871.tif 000018
【図１７】
2011142871.tif 000019
【図１８】
2011142871.tif 000020